(57)【要約】膝プロテーゼ配置のための大腿骨端切除用の髄内ベースかつ全位置に位置決め可能な切断ガイド機器であって、前方／後方調整機構（３３）を有する、大腿骨端の髄腔の髄内配置ガイド（１、２７）と；前方／後方調整機構（３３）に締結され、大腿骨端の前方面（１０）および後方面（１１、１８）を参照して前方／後方調整機構（３３）の前方／後方のオフセットを調整するように構成された後方回転参照サイジング冶具（８）と；前方／後方調整機構（３３）にその後締結され、第１の切除（例えば２４）を行うために第１の位置（例えば図１０）においてかつ第２の切除（例えば３７）を行う目的で第２の位置（例えば図１１）において切断ブロックガイド（５）の前方／後方の位置決めを可能にする、切断ブロックガイド（５）の少なくとも１つの係止ピン（２３）を受ける複数の位置参照開口部（２１ａ〜２１ｄ）を備えるパンチカード（２０）と、を備える、切断ガイド機器が提供される。【選択図】図３０
2019506997.tif 000002
【特許請求の範囲】
【請求項１】
膝プロテーゼ配置のための大腿骨端切除用の髄内ベースかつ全位置に位置決め可能な切断ガイド機器であって、
使用中に大腿骨端の髄腔内に挿入されるように構成された髄内配置ガイドであって、前方／後方調整機構を有する配置ガイドと、
前記前方／後方調整機構に締結される後方参照サイジング冶具であって、使用中に前記前方／後方調整機構の前記前方／後方のオフセットを調整するように前記大腿骨端の前方面および後方面を参照するように構成された、後方回転参照サイジング冶具と、
前記前方／後方調整機構にその後締結されるパンチカードであって、第１の切除を行う目的で第１の位置における、かつ、第２の切除を行う目的で第２の位置における切断ブロックガイドの前記前方／後方の位置決めを可能にするために、前記切断ブロックガイドの少なくとも１つの係止ピンをその内部で受ける複数の位置参照開口部を備えるパンチカードと、を備える切断ガイド機器。
【請求項２】
前記複数の開口部が、後方切除を行う目的で前記切断ブロックガイドを配置するために配置された開口部を備える、請求項１に記載の切断ガイド機器。
【請求項３】
前記切断ブロックガイドをさらに備え、前記切断ブロックガイドは、前記後方切除をガイドするように構成された後方面を備える、請求項２に記載の切断ガイド機器。
【請求項４】
前記複数の開口部が、後方面取り切除を行う目的で前記切断ブロックガイドを配置するために配置された開口部を備える、請求項１に記載の切断ガイド機器。
【請求項５】
前記切断ブロックガイドをさらに備え、前記切断ブロックガイドは、前記後方切除をガイドするように構成された後方面取りスロットを備える、請求項４に記載の切断ガイド機器。
【請求項６】
前記面取りスロットが分岐して、それぞれ外側／内側のアクセス可能なスロット部を備える、請求項５に記載の切断ガイド機器。
【請求項７】
前記複数の開口部が、前方切除を行う目的で前記切断ブロックガイドを配置するために配置された開口部を備える、請求項１に記載の切断ガイド機器。
【請求項８】
前記切断ブロックガイドをさらに備え、前記切断ブロックガイドは、前記前方切除をガイドするように構成された前方面を備える、請求項７に記載の切断ガイド機器。
【請求項９】
前記複数の開口部が、前方面取り切除を行う目的で前記切断ブロックガイドを配置するために配置された開口部を備える、請求項１に記載の切断ガイド機器。
【請求項１０】
前記切断ブロックガイドをさらに備え、前記切断ブロックガイドは、前記後方切除をガイドするように構成された面取りスロットを備える、請求項８に記載の切断ガイド機器。
【請求項１１】
前記面取りスロットが分岐して、それぞれ外側／内側のアクセス可能なスロット部を備える、請求項１０に記載の切断ガイド機器。
【請求項１２】
前記前方／後方調整機構が、使用中に前記大腿骨端の前方／後方軸に沿って移動するように構成された摺動部材を備える、請求項１に記載の切断ガイド機器。
【請求項１３】
前記摺動部材が、前記サイジング冶具と係合するように構成された配置ピンを備える、請求項１２に記載の切断ガイド機器。
【請求項１４】
前記後方回転参照サイジング冶具が、前記大腿骨端の前記サイジングを見積もるように構成されたサイズガイドを備える、請求項１に記載の切断ガイド機器。
【請求項１５】
前記後方回転参照サイジング冶具が、前方参照位置および後方参照位置で前記配置ガイドと選択的に係合するように構成された、請求項１に記載の切断ガイド機器。
【請求項１６】
前記後方回転参照サイジング冶具が、前記前方／後方調整機構を内部回転位置決めするスペーサを備える、請求項１に記載の切断ガイド機器。
【請求項１７】
前記内部回転が実質的に３°である、請求項１６に記載の切断ガイド機器。
【請求項１８】
前記後方回転参照サイジング冶具が、左膝および右膝の用途において選択的に配置可能である、請求項１６に記載の切断ガイド機器。
【請求項１９】
前記配置ガイドが、前記髄腔内に挿入されるロッドおよび前記ロッドに締結された遠位の実質的に直交する配置ガイド部を備える、請求項１に記載の切断ガイド機器。
【請求項２０】
前記ロッドが、大腿骨の内反に対応するために、前記配置ガイド部の垂直軸からオフセットして配向された、請求項１９に記載の切断ガイド機器。
【請求項２１】
前記内反が実質的に６°である、請求項２０に記載の切断ガイド機器。
【請求項２２】
遠位切除を行う目的で切断ブロックガイドを配置するために前記配置ガイドに選択的に係合するように構成された直角のブラケットをさらに備える、請求項１に記載の切断ガイド機器。
【請求項２３】
前記直角が、前記切断ブロックガイドの前記位置決めを前記上／下軸沿いの特定の上オフセットにおいて制御するように構成された外側突出顆部接触フランジを備える、請求項２２に記載の切断ガイド機器。
【請求項２４】
前記上オフセットが約９ｍｍである、請求項２３に記載の切断ガイド機器。
【請求項２５】
前記切断ブロックガイドをさらに備え、前記切断ブロックガイドは、前記直角のブラケットの取り外しを可能にするために、前記大腿骨端に対して前記切断ブロックガイドを締結する骨固定ピンを、それを通して受ける複数の開口部を備える、請求項２２に記載の切断ガイド機器。
【請求項２６】
前記複数の開口部が配置許容差を提供するために配列された、請求項２５に記載の切断ガイド機器。
【請求項２７】
前記配置許容差が外側／内側の配置許容差である、請求項２６に記載の切断ガイド機器。
【請求項２８】
前記配置許容差が上／下の配置許容差である、請求項２６に記載の切断ガイド機器。
【請求項２９】
前記配置許容差が約２ｍｍである、請求項２６に記載の切断ガイド機器。
【請求項３０】
請求項１でクレームされた前記切断ガイド機器を用いた大腿骨端における方法。
【請求項３１】
切除を行う切断ブロックガイドであって、前記切断ブロックガイドは一般に矩形であり上面、前方面、後方面および底面を画定するものであり、
前記上面、前方面および後方面の１つ以上は、遠位大腿骨切除、前方大腿骨切除および後方大腿骨切除を行うために切断機器をガイドするように構成され、
前記切断ブロックガイドは、後方面取り大腿骨切除を行うために切断機器をガイドするように構成された後方面取りスロットを有し、
前記切断ブロックガイドは、前方面取り大腿骨切除を行うために切断機器をガイドするように構成された前方面取りスロットを有する、切断ブロックガイド。
【請求項３２】
前記後方面が、使用中に前記後方面が大腿骨の長軸に実質的に直交して配向されるとき、前記遠位大腿骨切除を行うように構成された、請求項３１に記載の切断ブロックガイド。
【請求項３３】
前記上面が、使用中に前記上面が脛骨の長軸に実質的に直交して配置されるとき、前記近位脛骨切除を行うように構成された、請求項３１に記載の切断ブロックガイド。
【請求項３４】
前記前方面が前記前方大腿骨切除を行うように構成された、請求項３１に記載の切断ブロックガイド。
【請求項３５】
前記後方面が前記後方大腿骨切除を行うように構成された、請求項３１に記載の切断ブロックガイド。
【請求項３６】
前記切断ブロックガイドが、使用中に前記切断ブロックガイドが、切除されている大腿骨の長軸に実質的に直交した直交軸沿いの２つ以上の位置にあるとき、前記前方大腿骨切除、後方大腿骨切除、後方面取り大腿骨切除および前方面取り大腿骨切除の２つ以上を行うように構成された、請求項３１に記載の切断ブロックガイド。
【請求項３７】
前記切断ブロックガイドが、前記切断ブロックガイドが大腿骨を基準として第１の位置にあるとき、前記後方切除および後方面取り切除を行うように構成された、請求項３６に記載の切断ブロックガイド。
【請求項３８】
前記切断ブロックガイドが、前記切断ブロックガイドが前記大腿骨を基準として第２の位置にあるとき、前記前方面取り切除を行うように構成された、請求項３７に記載の切断ブロックガイド。
【請求項３９】
前記切断ブロックガイドが、前記切断ブロックガイドが前記大腿骨を基準として第３の位置にあるとき、前記前方切除を行うように構成された、請求項３７に記載の切断ブロックガイド。
【発明の詳細な説明】
【技術分野】
【０００１】
本発明は、膝プロテーゼ切断ガイドに関し、詳細には、必ずしも完全にではないが、膝プロテーゼ配置のための大腿骨端切除用の髄内ベースかつ全位置に位置決め可能な切断ガイド機器およびその操作方法に関する。
【０００２】
発明は、主として膝プロテーゼで／と共に用いるために開発され、この用途を参照して本明細書中以下で説明される。しかしながら、発明はこの特定の使用分野に限定されるものではないことが理解されよう。
【背景技術】
【０００３】
膝プロテーゼの配置に先立って、大腿骨端は切除の必要がある。
【０００４】
手術中、必要とされる様々な切除を行う目的で、切断ガイドを利用して切断器具をガイドする。例えば、膝プロテーゼを受けるために大腿骨端を準備するには、５か所の大腿骨切除が必要とされ得る。５か所の大腿骨切除は、遠位切除、後方切除、後方面取り切除、前方切除および前方面取り切除を備え得る。膝プロテーゼの脛骨構成要素のためにさらなる近位脛骨切除も必要とされ得る。
【０００５】
既存の切断ガイド機器は、４か所までの大腿骨切除を行うことが可能な「４  ｉｎ  １」切断ブロックを備える。しかしながら、つまり、遠位大腿骨切除および近位脛骨切除を行うのに、別の切断ブロックガイドが必要とされる。
【０００６】
さらに、既存の切断ブロックはサイズ固有であり、したがって、プロテーゼのサイズごとに、異なるサイズの別々の切断ブロックが必要とされる。例えば、８つの異なるサイズを有するある種のプロテーゼにおいて、８つの別々の切断ブロックが必要とされる。複数の切断ブロックを設けることは、切断ブロックは一般にワイヤカットされるという理由も含めて高額となる。
【０００７】
Ｄ１（ＵＳ  ５６６２６５６  Ａ  （ＷＨＩＴＥ）１９９７年９月２日）は、遠位大腿骨の端部をサイジングし遠位大腿骨を切除する機器を開示する。
【０００８】
しかしながら、Ｄ１の機器は、遠位大腿骨切除および前方大腿骨切除をガイドすることのみに使用することができるものであり、近位脛骨切除、前方面取り大腿骨切除、後方面取り大腿骨切除および後方大腿骨切除を行うのに用いることはできない。
【０００９】
切断ブロックガイドの数を好ましくは１つまで減らす、５か所の大腿骨切除および好ましくは遠位脛骨切除も行うことが可能な切断ガイド機器を有することは有利である。
【００１０】
本発明は、先にかつ他に示唆されたものを含む先行技術の欠点の少なくとも一部を克服するまたは実質的に改良するであろう、膝プロテーゼ配置のための大腿骨端切除用の髄内ベースかつ全位置に位置決め可能な切断ガイド機器およびその操作方法を提供すること、または代案を少なくとも提供することを目的とする。
【００１１】
本明細書中で任意の先行技術の情報が参照される場合、オーストラリアまたは任意の他の国において、そうした参照は、その情報が当分野の一般常識の一部を形成するという承認を構成するものではないことが理解されよう。
【発明の概要】
【００１２】
以下の実施形態では、膝プロテーゼ配置のための大腿骨端切除用の髄内ベースかつ全位置に位置決め可能な切断ガイド機器が記載される。
【００１３】
背景部分で先に示唆されたように、かつ、その後の記載から明らかであるように、機器は、先行技術の機器の場合のような異なるサイジング用の複数の切断ブロックという要件をなくす。具体的には、本明細書中で開示される機器は、膝プロテーゼ配置の目的で様々な大腿骨端切除を行うのに使用可能な単一の切断ブロックを備え、機器のコスト、複雑性およびメンテナンスを低減させる。機器はまた、先行技術のさらなる有利な点も提供する。
【００１４】
本発明の第１の態様によると、膝プロテーゼ配置のための大腿骨端切除用の髄内ベースかつ全位置に位置決め可能な切断ガイド機器であって、使用中に大腿骨端の髄腔内に挿入されるように構成された髄内配置ガイドであって、前方／後方調整機構を有する配置ガイドと；前方／後方調整機構に締結される後方回転参照サイジング冶具であって、使用中に前方／後方調整機構の前方／後方のオフセットを調整するように大腿骨端の前方面および後方面を参照するように構成された後方回転参照サイジング冶具と；前方／後方調整機構にその後締結されるパンチカードであって、第１の切除を行う目的で第１の位置における切断ブロックガイドの前方／後方の位置決めおよび第２の切除を行う目的で第２の位置における切断ブロックガイドの前方／後方の位置決めを可能にする目的で、切断ブロックガイドの少なくとも１つの係止ピンをその内部で受ける複数の位置参照開口部を備えるパンチカードと、を備える切断ガイド機器が提供される。
【００１５】
複数の開口部は、後方切除を行う目的で切断ブロックガイドを配置するために配置された開口部を備え得る。
【００１６】
切断ガイド機器は、さらに、切断ブロックガイドを備え得、切断ブロックガイドは、後方切除をガイドするように構成された後方面を備え得る。
【００１７】
複数の開口部は、後方面取り切除を行う目的で切断ブロックガイドを配置するために配置された開口部を備え得る。
【００１８】
切断ガイド機器は、さらに、切断ブロックガイドを備え得、切断ブロックガイドは、後方切除をガイドするように構成された後方面取りスロットを備え得る。
【００１９】
面取りスロットは分岐され得、それぞれ外側／内側のアクセス可能なスロット部を備える。
【００２０】
複数の開口部は、前方切除を行う目的で切断ブロックガイドを配置するために配置された開口部を備え得る。
【００２１】
切断ガイド機器は、さらに、切断ブロックガイドを備え得、切断ブロックガイドは、前方切除をガイドするように構成された前方面を備え得る。
【００２２】
複数の開口部は、前方面取り切除を行う目的で切断ブロックガイドを配置するために配置された開口部を備え得る。
【００２３】
切断ガイド機器は、さらに、切断ブロックガイドを備え得、切断ブロックガイドは、後方切除をガイドするように構成された面取りスロットを備え得る。
【００２４】
面取りスロットは分岐され得、それぞれ外側の／内側のアクセス可能なスロット部を備える。
【００２５】
前方／後方調整機構は、使用中に大腿骨端の前方／後方軸に沿って移動するように構成された摺動部材を備え得る。
【００２６】
摺動部材は、サイジング冶具と係合するように構成された配置ピンを備え得る。
【００２７】
後方回転参照サイジング冶具は、大腿骨端のサイジングを見積もるように構成されたサイズガイドを備え得る。
【００２８】
後方回転参照サイジング冶具は、前方基準位置および後方基準位置において配置ガイドと選択的に係合するように構成され得る。
【００２９】
後方回転参照サイジング冶具は、前方／後方調整機構を内部回転位置決めするスペーサを備え得る。
【００３０】
内部回転は、実質的に３°であってもよい。
【００３１】
後方回転参照サイジング冶具は、左膝および右膝の用途において選択的に位置決め可能であってもよい。
【００３２】
配置ガイドは、髄腔内に挿入されるロッドおよびロッドに締結された遠位の実質的に直交する配置ガイド部を備え得る。
【００３３】
ロッドは、大腿骨の内反に対応するために、配置ガイド部の垂直軸からオフセットして配向され得る。
【００３４】
内反は、実質的に６°であってもよい。
【００３５】
切断ガイド機器は、さらに、遠位切除を行う目的で切断ブロックガイドを配置するために配置ガイドと選択的に係合するように構成された直角のブラケットを備え得る。
【００３６】
直角は、切断ブロックガイドの位置決めを上／下軸沿いの特定の上オフセットにおいて制御するように構成された外側突出顆部接触フランジを備え得る。
【００３７】
上オフセットは、約９ｍｍであってもよい。
【００３８】
切断ガイド機器は、さらに、切断ブロックガイドを備え得、切断ブロックガイドは、直角のブラケットの取り外しを可能にするために、切断ブロックガイドを大腿骨端に対してそれを通して締結する骨締結ピンを受ける複数の開口部を備え得る。
【００３９】
複数の開口部は、配置許容差を提供するために配列される。
【００４０】
配置許容差は、外側／内側の配置許容差であってもよい。
【００４１】
配置許容差は、上／下の配置許容差であってもよい。
【００４２】
配置許容差は、約２ｍｍであってもよい。
【００４３】
別の態様によれば、大腿骨端切除の方法であって、髄内配置ガイドを配置することと；サイジング冶具を用いて配置ガイドの調整機構を調整することと；調整機構を基準にして切断ブロックガイドを第１の位置に配置することと；第１の切除を行うことと；調整機構を基準にして切断ブロックガイドを第２の位置に配置することと；第２の切除を行うこととを含む方法が提供される。
【００４４】
別の態様によれば、切除を行うための切断ブロックガイドであって、切断ブロックガイドは一般に矩形であり、上面、前方面、後方面および底面を画定するものであり、上面、前方面および後方面の１つ以上は、遠位大腿骨切除、前方大腿骨切除および後方大腿骨切除を行うために切断機器をガイドするように構成され；切断ブロックガイドは、後方面取り大腿骨切除を行うために切断機器をガイドするように構成された後方面取りスロットを有し；切断ブロックガイドは、前方面取り大腿骨切除を行うために切断機器をガイドするように構成された前方面取りスロットを有する、切断ブロックガイドが提供される。
【００４５】
後方面は、使用中に後方面が大腿骨の長軸に実質的に直交して配向され得るとき、遠位大腿骨切除を行うように構成され得る。
【００４６】
上面は、使用中に上面が脛骨の長軸に実質的に直交して配向され得るとき、近位脛骨切除を行うように構成され得る。
【００４７】
前方面は、前方大腿骨切除を行うために構成され得る。
【００４８】
後方面は、後方大腿骨切除を行うために構成され得る。
【００４９】
切断ブロックガイドは、使用中に切断ブロックガイドが、切除されている大腿骨の長軸に実質的に直交する直交軸沿いの２つ以上の位置にあり得るとき、前方大腿骨切除、後方大腿骨切除、後方面取り大腿骨切除および前方面取り大腿骨切除の２つ以上を行うように構成され得る。
【００５０】
切断ブロックガイドは、切断ブロックガイドが大腿骨を基準にして第１の位置にあり得るとき、後方切除および後方面取り切除を行うように構成され得る。
【００５１】
切断ブロックガイドは、切断ブロックガイドが大腿骨を基準にして第２の位置にあり得るとき、前方面取り切除を行うように構成され得る。
【００５２】
切断ブロックガイドは、切断ブロックガイドが大腿骨を基準にして第３の位置にあり得るとき、前方切除を行うように構成され得る。
【００５３】
発明の他の態様も開示される。
【００５４】
本発明の範囲に含まれ得る任意の他の形式にかかわらず、添付の図面を参照して開示の好ましい実施形態がただの例としてここで記載される。
【図面の簡単な説明】
【００５５】
【図１】大腿骨端の開口部を通して髄管内に挿入されている機器８の髄内配置ガイドの図である。
【図２】遠位切除を行うために切断ブロックを配置する目的で、配置ガイドに締結されている直角なブラケットの図である。
【図３】遠位切除を行う目的で、切断ブロックを、遠位顆部頂点から適切な上オフセット（実質的に９ｍｍである）で配置するように挿入された角度の付いたブラケットの図である。
【図４】切断ブロックが留置された状態で直角のブラケットが取り外され、遠位切除が行われた図である。
【図５】遠位切除が行われた後の配置ガイドの再挿入の図である。
【図６】大腿骨端のサイジングの測定および配置ガイドの調整機構の調整の目的でスペーサを配置ガイドに締結する図である。
【図７】大腿骨端に対して配置ガイドを締結する骨固定ねじの挿入および配置ガイドの調整機構を係止する係止ねじの嵌め込みの図である。
【図８】配置ガイド上のパンチカードの配置の図である。
【図９−１０】後方切除を行う目的での、パンチカードに対する切断ブロックの配置の図である。
【図１１】後方面取り切除を行う目的での、パンチカードに対する切断ブロックの配置の図である。
【図１２】前方面取り切除および前方切除を行う目的での、パンチカードに対する切断ブロックの配置の図である。
【図１３】切除が行われた後の配置ガイドの取り外しの図である。
【図１４−２０】さらなる実施形態による切断ガイド機器の図である。
【図２１−３７】切断ガイド機器の図１４〜２０の利用の例示的な方法の図である。
【発明を実施するための形態】
【００５６】
開示による原則の理解を促進する目的で、ここで、図面に例示された実施形態が参照され、それを説明するのに特定の術語が用いられる。それによって開示の範囲のいかなる限定も意図されないことがそれでもやはり理解されよう。当分野におけるかつこの開示を所有する当業者が通常考え付くであろう、本明細書中に例示された発明の特徴の任意の変形およびさらなる修正、ならびに本明細書中に例示されたような開示の原則の任意の追加の適用は、開示の範囲内であると考えられよう。
【００５７】
膝プロテーゼ配置のための大腿骨端切除用の髄内ベースかつ全位置に位置決め可能な切断ガイド機器およびその操作方法に関する構造、システムおよび関連する方法が開示され記載される前提として、この開示は本明細書中に開示される特定の構成、プロセスステップおよび材料に限定されるものではなく多少異なり得ることが理解されよう。開示の範囲は特許請求の範囲およびその均等物によってのみ限定されるので、本明細書中で用いられた用語は単に特定の実施形態を説明する目的で用いられ、限定を意図しないことも理解されよう。
【００５８】
開示の主題を記載しクレームするにおいて、以下の用語は、以下に記載された定義にしたがって用いられよう。
【００５９】
この明細書および添付の特許請求の範囲で用いられるように、単数形「ａ」「ａｎ」および「ｔｈｅ」は、文脈によって特に明記されない限り、複数対象を含むことに留意すべきである。
【００６０】
本明細書中で用いられるように、用語「ｃｏｍｐｒｉｓｉｎｇ（備える）」、「ｉｎｃｌｕｄｉｎｇ（含む）」、「ｃｏｎｔａｉｎｉｎｇ（含有する）」、「ｃｈａｒａｃｔｅｒｉｚｅｄ  ｂｙ（を特徴とする）」およびそれらの文法的均等物は、追加の、記載されていない要素または方法のステップを排除しない包括的なまたは開放型の用語である。
【００６１】
以下の記載において、異なる実施形態における同様のまたは同一の参照番号は、同一のまたは同様の特徴を示すことに留意すべきである。
【００６２】
ここで図１を参照すると、膝プロテーゼ配置のための切除の用意ができている大腿骨端２が示される。
【００６３】
図では、髄内配置ガイド１は、大腿骨の髄腔内に挿入される。具体的には、管３は骨端２の遠位端を通して髄腔内まで穴があけられている。見ることができるように、配置ガイド１は、さらなる詳細を以下に記載するように、開口部３内に挿入されるロッド２７、および直交遠位ガイド部２８を備える。
【００６４】
ある実施形態では、ロッド２７は、その挿入を助ける骨貫通端２６で終端してもよい。
【００６５】
好ましい実施形態では、ロッドは、遠位ガイド部が正しく配向されるように、大腿骨の内反を説明するために遠位ガイド部２８の垂直軸から実質的に６°オフセットする。
【００６６】
ここで、遠位切除を行う目的で、今度は図２を参照すると、直角の遠位大腿骨参照ガイド４は、配置ガイド１に摺動可能に係合される。遠位大腿骨参照ガイド４は、遠位切除を行う目的で切断ブロックガイド５を配置するために利用される。
【００６７】
具体的には、見ることができるように、遠位大腿骨参照ガイド４は、切断ブロックガイド５の配置の深さが顆部遠位面頂点を基準とするような外側突出顆部接触フランジ６を備える。これに関連して、ロッド２７は、顆部接触フランジ６が下顆部頂点と接触するときまで開口部３内に挿入される。
【００６８】
遠位大腿骨参照ガイド４は、切断ブロックガイド５の対応するメス収容部２９内に挿入されるように構成された上方に配向されたオス部４６を備える。
【００６９】
オス部４６は、遠位切除を行うために切断ブロックガイド５を下顆部頂点から適切なオフセットで配置するように、オス部４６のメス収容部２９内への移動を制限する下止め端部を備える。
【００７０】
ある実施形態では、遠位大腿骨参照ガイド４は、約９ｍｍの遠位切除のために切断ブロックガイド５を配置するように構成される。
【００７１】
図３では、遠位大腿骨参照ガイド４の外側突出顆部接触フランジ６が遠位顆部頂点と接触し、したがって切断ブロックガイド５が適切に配置されると、締結ピン７は、切断ブロックガイド５を大腿骨端２の前方面に固定するために切断ブロックガイド５内に挿入される。示した実施形態では、切断ブロックの前方面に対して直角に貫通する２つの締結ピン７および切断ブロックガイド５のそれぞれ外側／内側面を通して実質的に４５°で貫通するさらなる２つの締結ピン７を備える４つの締結ピン７が提供される。
【００７２】
ここで図４を参照すると、次いで遠位大腿骨参照ガイド４および配置ガイド１は取り外され、切断ブロックガイド５は、締結ピン７を介して、大腿骨端の前方面に締結された配置のままとなる。このやり方では、切断ブロックガイド５は、遠位切除８を行う目的で、下面３１を提示する。
【００７３】
実施形態では、切断ブロックは、配置許容差のための複数の締結ピン開口部３０を備える。具体的には、図４から見ることができるように、切断ブロックガイド５の前方面は、外側／内側の配置許容差および上／下の配置許容差を提供する目的で配置された複数の締結ピン開口部３０を備える。ある実施形態では、締結ピン開口部３０は、約２ｍｍの配置許容差を提供するように実質的に２ｍｍ離れて配置され得る。
【００７４】
遠位切除８が行われた後、ここで図５を参照すると、配置ガイド１は開口部３内に再挿入される。
【００７５】
図５から見ることができるように、配置ガイド１は、以下にさらなる詳細を記載するように、切断ブロックガイド５の全位置の位置決めのためにレール３４沿いに大腿骨端の前方／後方軸に沿って摺動するように構成された摺動部材３２を備える。これに関連して、摺動部材３３は、やはり以下にさらなる詳細を記載するように２つの突出した配置ガイドピン３２を備える。
【００７６】
配置ガイド１は、レール３４内の摺動部材３３を係止する係止ピン１２を備える。
【００７７】
ここで図６を参照すると、後方回転参照サイジング冶具９は、配置ガイド１の２つの突出した配置ガイドピン３２の上に配置される。後方回転参照サイジング冶具９は、大腿骨端２のサイジングの目的でかつレール３４内の摺動部材３２の前方／後方のオフセットを調整するために用いられる。これに関連して、係止ピン１２は、摺動部材３３がレール３４内で自在に摺動することを可能にするように緩いままとされる。
【００７８】
図６に示す実施形態では、外科医は後方参照を好み、したがって、配置ガイドピン３２を後方参照開口部１４に挿入している。一方、外科医が前方参照を好んだとしたら、外科医は、配置ガイドピン３２を前方参照開口部１５に挿入したであろう。
【００７９】
ガイドピン３２をスペーサ９と係合させると、後方回転参照サイジング冶具９の実質的に馬蹄形の顆部接触基部１８は、大腿骨顆部の後方面に接触し、反対側に配置された前方スタイラス１０は、大腿骨の内面に突き当たる。
【００８０】
馬蹄形の基部１８を配置するとき、スペーサ１１は、約３°の内部回転をもたらすように提供され得る。実施形態では、スペーサ１１は、左膝および右膝のプロテーゼに対して、馬蹄形の基部１８の外側部材または後方部材のいずれかに選択的に配置することができるように取り外し可能である。
【００８１】
示した実施形態では、前方スタイラス１０は、細長い開口部１７、および前方スタイラス１０の及ぶ範囲を制御する関連する締め付けノブ１６を備える。前方スタイラスの遠位端３５の反対側にグリップ３６がある。
【００８２】
そのようにして、前方スタイラス１０は、大腿骨の陥凹を引き起こす応力上昇の可能性を低減するように内部面取り切除の程度を推定するために上方に延ばされ得る。
【００８３】
さらに、ここで図７を参照すると、前方スタイラス１０は、サイジングを行うために後退され得る。見ることができるように、後方回転参照サイジング冶具９は、大腿骨の見積もられたサイジングがそこから読み取られるサイジングルール１３を備える。
【００８４】
図７に示すように、スペーサ９が配置されると、係止ねじ１２は、摺動部材３２をレール３４に対してその内部で係止するように締め付けられる。さらに、さらなる骨固定ねじ１９は、配置ガイド１のロッド２７周りでの回転を妨げるように、配置ガイド１に挿入される。
【００８５】
ここで図８を参照すると、次いでパンチカード２０が、配置ガイド１のガイドピン３２に挿入される。具体的には、後方参照を利用するときガイドピン３２は開口部２２ａを通して挿入され、一方前方参照を利用するときガイドピン３２は開口部２２ｂを通して挿入される。開口部２２ａおよび２２ｂは、外科医をその適切な利用に関して助けるように、適切な印でマークされてもよい。
【００８６】
見ることができるように、パンチカード２０は、前方切除を行う目的でのパンチ２１ａ、前方面取り切除を行う目的でのパンチ２１ｂ、後方面取り切除を行う目的でのパンチ２１ｃおよび後方切除を行う目的でのパンチ２１ｄを備える複数のパンチ２１を備える。
【００８７】
具体的には、後方切除を行う目的で、ここで図９を参照すると、切断ブロックガイド５は、パンチカード２０上に挿入され、締結ピン２３は、パンチ２１ｄ内に配置されるために、切断ブロックガイド５の遠位面を通して挿入される。
【００８８】
ここで図１０を参照すると、切断ブロックガイド５の後方面は、後方切除２４を行う目的で利用される。
【００８９】
その後、ここで図１１を参照すると、締結ピン２３は取り外され、切断ブロックガイド５は、締結ピン２３が後方面取り切除３７を行う目的でパンチ２１ｃ内に挿入されることを可能にするように、パンチカード２０に沿って摺動される。
【００９０】
見ることができるように、切断ブロックガイド５は、後方面取り切除３７を行うために切断器具をその内部で受ける目的で、実質的に４５°でブロック５を横断する後方面取り切除スロット３８を備える。見ることができるように、後方面取り切除スロット３８は、切断ブロックガイド５の全幅にわたって延在するものではなく、むしろ、分岐してブロック５のそれぞれ外側／内側の端部で開口する。各面取り切除スロット３８は、それぞれの顆部の切除を可能にするように、切断ブロックガイド５の正中線に向かって十分長く延在する。
【００９１】
ここで図１２を参照すると、後方面取り切除３７を行ったあと、前方切除３９を行う目的で締結ピン２３をパンチ２１ａに挿入することを可能にするように、ガイドブロック５をパンチカード２０に沿って摺動されることを可能にするために、締結ピン２３は再度取り外される。具体的には、切断ブロックガイド５の前方面は、前方切除３９を行う目的で用いられる。
【００９２】
同様に、締結ピン２３は、前方面取り切除２５を行う目的でパンチ２１ｂ内に配置される。これに関連して、切断ブロックガイド５は同様に、前方面取り切除３７を行うために切断ガイドをその内部で受ける目的で、内部面取り切除スロット４０を備える。見ることができるように、前方面取り切除スロット４０は、後方面取り切除スロット３８に実質的に直交する。
【００９３】
５か所の切除を上記のやり方で行った後、今度は図１３を参照すると、締め付けねじ１９は緩められ、配置ガイド１は取り外される。
【００９４】
図１４〜２０は、さらなる実施形態による切断ガイド機器を示す。
【００９５】
図１４は、このさらなる実施形態による切断ブロックガイド５を示す。すぐに分かるように、切断ブロックガイド５は、係止タブ４１を含む。
【００９６】
切断ブロックガイド５は、先に示唆したように、遠位大腿骨切除、近位脛骨切除、前方大腿骨切除、前方大腿骨面取り切除、後方大腿骨面取り切除および後方大腿骨切除を含む６か所の切除をガイドすることが可能である。
【００９７】
図１５は、ロッド２７および直交遠位ガイド部２８を示す。直交遠位ガイド部２８は、外反配向を判定するのに用いられるロッド２７の直交軸から６°に配向される。
【００９８】
図１６は、切除される遠位大腿骨の量を判定するのに利用される遠位大腿骨参照ガイド４を示す。
【００９９】
図１７は、前方スタイラス１０を備えた後方回転参照サイジング冶具９を示し、冶具９およびスタイラス１０は、切断ガイド５を用いて行われる大腿骨切除の外部回転の程度および大腿骨のサイズをガイドする。
【０１００】
図１８Ａは、ロッド２７の直交遠位ガイド部２８と係合するパンチカード２０を示し、図１８Ｂは、係止タブ４１を利用してパンチカード２０に固定されているかつ締結ピン７を利用して切除される大腿骨上のあるべき位置に保持されている切断ブロックガイド５を示す。
【０１０１】
図１９は、脛骨近位切除を行うために切断ブロックガイド５をロッド２７に結合させるのに利用される脛骨間カプラ４２を示す。
【０１０２】
図２０は、髄内ロッド２７を使用せずに、切断ブロックガイド５を標準的な足首クランプ４５に装着するのに用いられる髄外脛骨カプラ４３を示す。
【０１０３】
ここで、図１４〜２０に提供されたさらなる実施形態によるガイド１の利用の方法を説明するために、遠位大腿骨参照ガイド４がロッド２７の６°外反オフセット直交遠位ガイド部２８に装着される図２１をここで参照する。見ることができるように、参照ガイド４は、ガイド部２８上へ摺動する。
【０１０４】
図２２は、穴をあけられた髄内管、および管内に挿入された、大腿骨参照ガイド４が装着されたロッド２７を示す。
【０１０５】
先に示唆されたように、直交遠位ガイド部２８は、ロッド２７の直交軸から６°の外反オフセットを有し、左膝または右膝における管内で反転させることができる。
【０１０６】
図２３を参照すると、切断ブロックガイド５は、遠位切断を行う目的で、参照ガイド４に装着される。
【０１０７】
切断ブロックガイド５を参照ガイド４に装着するために、タブ４１は、切断ブロックが遠位大腿骨参照ガイド４のオス部４６上に摺動することを可能にするように引っ張られ、配置がなされると、タブ４１は離されて、オス部４６を図２４に実質的に示したように捉える。
【０１０８】
図２４では、遠位大腿骨参照ガイド４は、切断ブロックガイド５を適切に配置するように、遠位顆部に押し付けられる。遠位大腿骨参照ガイド４および切断ブロックガイド５は、９ｍｍの切除を提供するように構成される。
【０１０９】
ここで図２５を参照すると、切断ブロックガイド５が遠位大腿骨参照ガイド４を基準として適切に配置された状態で、切断ブロックガイド５は締結ピン７を用いてあるべき場所に固定され、係止タブ４は遠位大腿骨参照ガイド４およびロッド２７の解除を可能にするように引っ張られる。
【０１１０】
図２６は、切断ブロックガイド５の遠位面４７を基準として行われた遠位切除４８を示す。
【０１１１】
図２７は、髄内ロッド２７の大腿管への再挿入、およびサイジング冶具９の、直交遠位ガイド部２８の摺動可能な配置ピン３２への配置を示す。サイジング冶具９は、ピン３２の適所にぴったりと合う。
【０１１２】
図２８は、大腿骨のサイジングおよび回転を判定するように前方縁および後方顆部をそれぞれ参照するのに用いられている冶具９のスタイラス１０および足部４８を示す。大腿骨のサイジングは、サイジングルール５２上のインジケータ５１の位置を利用して読み取られ得る。
【０１１３】
図２８を参照すると、正しいサイズおよび回転が判定された状態で、係止ピン４９はドライバ５０を用いてサイジング冶具９に押し込まれて、摺動可能な配置ピン３２の位置を固定する。
【０１１４】
ここで図３０を参照すると、配置ピン３２から取り外されたサイジング冶具９が示され、配置ピン３２は係止ピン４９を利用してあるべき位置で固定されている。
【０１１５】
サイジング冶具９が取り外されると、サイジングルール５２から判定されたサイジングに対応するパンチカード９が選択される。具体的には、パンチカード２０は、３〜８のサイズで提供され得、適切なサイズが選択されると、パンチカード２９は配置ピン３２上に配置される。
【０１１６】
ここで図３２を参 照すると、サイズが合う切断ブロックガイド５は、パンチカード２０上に配置され、係止タブ４１を利用して、切断ブロックガイド５をパンチカード２０の一番低いホールセットを基準として配置する。
【０１１７】
図３３は、後方切除および後方面取り切除を行うために切断ブロックガイド５を一番低いホールセットを基準として固定するための締結ピン７の配置を示す。
【０１１８】
具体的には、切断ブロックの遠位面４７を利用して後方切除５１を行い、後方面取りスロット５４を用いて、後方面取り切除５３を行う。
【０１１９】
図３４は、切断ブロックガイド５がパンチカード２０の真ん中のホールセットの位置までパンチカード２２に沿って前方に摺動することが可能となるように係止タブ４１を引っ張ることを示し、切断ブロックガイド５は締結ピン７を利用して再度固定される。
【０１２０】
この位置で、前方面取り切除５６が、前方面取りスロット５５を利用して行われる。
【０１２１】
図３５は、繰り返されているプロセスを示し、切断ブロックガイド５は、切断ブロックガイド５の前方面５８を利用して前方切除５７を行うために最も高いホールセットに位置するようにパンチカード２０に沿ってさらに摺動される。
【０１２２】
ダウンサイジングが必要である場合、次に小さいパンチカード２０を配置ピン３２上に配置し、プロセスを繰り返すことができることに留意すべきである。
【０１２３】
図３６は、切除された大腿骨から取り外されるロッド２７を示す。
【０１２４】
図３７をここで参照すると、近位脛骨切除を行うことが示され、切断ブロックガイド５は、遠位切除を行うために次いで固定することができる切断ブロックガイド５の正しい位置決めを可能にするように伸縮式である脛骨髄外ロッド４３に組み付けられる。代替として、脛骨髄内ガイド４２は、髄内脛骨ロッド２７と併せて利用され得る。
【０１２５】
図１４に戻って、切断ブロックガイド５の様々な面のさらなる詳細を再度検討する。具体的には、そして配向参照の便利のために、上面６１、底面６２、後方面５９および前方面６０を備える切断ブロックガイド５が示される。
【０１２６】
先に示唆されたように、後方面５９は、後方面５９が大腿骨の長軸に実質的に直交して配向されるとき、遠位大腿骨切除を行うために利用される。
【０１２７】
次いで、切断ブロックガイド５は、使用中に上面６１が脛骨の長軸に実質的に直交して配向されるとき、近位脛骨切除を行うように構成される。
【０１２８】
切断ブロックガイド５は、さらに、前方面６０は前方大腿骨切除を行うためであり後方面５９は後方大腿骨切除を行うために用いられるように、構成される。
【０１２９】
切断ブロックガイド５は、後方面取り切除を行うために用いられる後方面取りスロット５４および前方面取り切除を行うために用いられる前方面取りスロット５５を備える。
【０１３０】
上述したように、切断ブロックガイド５は、使用中に切断ブロックガイドが、切除されている大腿骨の長軸に実質的に直交する直交軸沿いの２つ以上の位置にあるとき、前方大腿骨切除、後方大腿骨切除、後方面取り大腿骨切除および前方面取り大腿骨切除の２つ以上を行うように構成される。
【０１３１】
好ましくは、後方切除および後方面取り切除は、切断ブロックガイド５が直交軸沿いに大腿骨を基準としてパンチカード２０上の第１の位置にあるときに行われ、前方面取り切除は、切断ブロックガイドが直交軸沿いに大腿骨を基準としてパンチカード２０上の第２の位置にあるときに行われ、前方切除は、切断ブロックガイド５が直交軸沿いに大腿骨を基準としてパンチカード２０上の第３の位置にあるときに行われる。
【０１３２】
代替の実施形態では、切断ブロックガイド５は、様々な切除が本明細書中に記載された実施形態の目的範囲内の他の位置で行われるように構成され得る。
解釈
実施形態
【０１３３】
この明細書全体にわたって「１つの実施形態」または「ある実施形態」への言及は、実施形態に関連して記載された特定の特徴、構造または特性が本発明の少なくとも１つの実施形態に含まれることを意味する。したがって、この明細書全体にわたって様々な箇所における「１つの実施形態では」または「ある実施形態では」というフレーズの出現は、必ずしもすべてが同一の実施形態に言及するものではないが、そうであってもよい。さらに、特定の特徴、構造または特性は、１つ以上の実施形態において、この開示から当業者に明らかなように、任意の適切なやり方で組み合わされ得る。
【０１３４】
同様に、発明の例示的な実施形態の上記の説明では、発明の様々な特徴は、開示を合理化し様々な発明の態様の１つ以上の理解を助ける目的で、単一の実施形態、図またはその説明でまとめられることもあることが理解されるべきである。しかしながら、開示のこの方法は、クレームされた発明が各請求項に明確に記載されたものより多くの特徴を必要とするという意図を反映するとして解釈されるものではない。むしろ、以下の特許請求の範囲が反映するように、発明の態様は、単一の前述の開示された実施形態の全ての特徴より少ない特徴にある。したがって、具体的な実施形態の詳細な説明に続く特許請求の範囲は、各請求項がこの発明の別々の実施形態として自立している状態で、具体的な実施形態のこの詳細な説明に本明細書によって明示的に組み込まれる。
【０１３５】
さらに、本明細書中に記載された一部の実施形態は、他の実施形態に含まれる特徴の一部のみを含むが、当業者に理解されるように、異なる実施形態の特徴の組み合わせは、発明の範囲内にあることを意味し、異なる実施形態を形成する。例えば、以下の特許請求の範囲では、クレームされた実施形態のいずれかを任意の組み合わせで用いることができる。
対象の様々な例
【０１３６】
本明細書中で用いられるように、特に指定されない限り、共通の対象を記載する順序を示す形容詞「第１の」、「第２の」、「第３の」などの使用は、同様の対象の様々な例が言及されていることを単に示し、そのように記載された対象が、時間的に、空間的に、序列でまたは任意の他の方法のいずれかで所与の順序にあることを示す意図はない。
具体的な詳細
【０１３７】
本明細書中に提供された記載では、多数の具体的な詳細が記載される。しかしながら、発明の実施形態はこれらの具体的な詳細なしで実施され得ることが理解される。他の例では、この記載の理解を妨げないために、既知の方法、構造および技術は詳細に示されていない。
用語
【０１３８】
図面に例示された発明の好ましい実施形態を記載するにおいて、具体的な用語が明確さのために用いられる。しかしながら、発明は、そのように選択された具体的な用語に限定されることを意図せず、各具体的な用語は同様の技術的目的を達成する同様の方法で働くあらゆる技術的均等物を含むことが理解されよう。「前方」、「後方」、「径方向に」、「周辺に」、「上方に」、「下方に」などといった用語は、基準点を提供するための便利な単語として用いられ、限定する用語として解釈されない。
ＣｏｍｐｒｉｓｉｎｇとＩｎｃｌｕｄｉｎｇ
【０１３９】
以下の特許請求の範囲でかつ発明の前述の記載では、文脈が表現言語または必然的含意によって特に要求しない限り、単語「ｃｏｍｐｒｉｓｅ」、または「ｃｏｍｐｒｉｓｅｓ」あるいは「ｃｏｍｐｒｉｓｉｎｇ」などのバリエーションは包括的な意味で用いられる、すなわち、発明の様々な実施形態において、記載された特徴の存在を指定するが、さらなる特徴の存在または追加を除外しない。
【０１４０】
本明細書中で用いられるｉｎｃｌｕｄｉｎｇまたはｗｈｉｃｈ  ｉｎｃｌｕｄｅｓまたはｔｈａｔ  ｉｎｃｌｕｄｅｓという用語のいずれか１つもまた、用語に続く要素／特徴を少なくとも含むがその他を排除しないことをやはり意味する開放型用語である。したがって、ｉｎｃｌｕｄｉｎｇは、ｃｏｍｐｒｉｓｉｎｇと同義語でありｃｏｍｐｒｉｓｉｎｇを意味する。
発明の範囲
【０１４１】
かくして、発明の好ましい実施形態であると考えられるものが記載されてきたが、当業者は、それに対して他のかつさらなる修正が、発明の精神から逸脱せずになされ得ることを理解し、そうした変更および修正のすべてを発明の範囲内にあるとしてクレームすることが意図される。例えば、先に与えられた任意の方法は、用いられ得る手順を単に表すものである。機能性はブロック図に追加または削除され得、動作は機能ブロック間で交換され得る。ステップは、本発明の範囲内で記載された方法に追加または削除され得る。
【０１４２】
発明は具体例を参照して記載されてきたが、発明は多くの他の形式で具現化され得ることが当業者によって理解されよう。
【産業上の利用可能性】
【０１４３】
記載された構成は整形外科業界で利用可能であることが上記から明らかである。
【図１】
2019506997.tif 000003
【図２】
2019506997.tif 000004
【図３】
2019506997.tif 000005
【図４】
2019506997.tif 000006
【図５】
2019506997.tif 000007
【図６】
2019506997.tif 000008
【図７】
2019506997.tif 000009
【図８】
2019506997.tif 000010
【図９】
2019506997.tif 000011
【図１０】
2019506997.tif 000012
【図１１】
2019506997.tif 000013
【図１２】
2019506997.tif 000014
【図１３】
2019506997.tif 000015
【図１４】
2019506997.tif 000016
【図１５】
2019506997.tif 000017
【図１６】
2019506997.tif 000018
【図１７】
2019506997.tif 000019
【図１８Ａ】
2019506997.tif 000020
【図１８Ｂ】
2019506997.tif 000021
【図１９】
2019506997.tif 000022
【図２０】
2019506997.tif 000023
【図２１】
2019506997.tif 000024
【図２２】
2019506997.tif 000025
【図２３】
2019506997.tif 000026
【図２４】
2019506997.tif 000027
【図２５】
2019506997.tif 000028
【図２６】
2019506997.tif 000029
【図２７】
2019506997.tif 000030
【図２８】
2019506997.tif 000031
【図２９】
2019506997.tif 000032
【図３０】
2019506997.tif 000033
【図３１】
2019506997.tif 000034
【図３２】
2019506997.tif 000035
【図３３】
2019506997.tif 000036
【図３４】
2019506997.tif 000037
【図３５】
2019506997.tif 000038
【図３６】
2019506997.tif 000039
【図３７Ａ】
2019506997.tif 000040
【図３７Ｂ】
2019506997.tif 000041
【国際調査報告】
2019506997.tif 000042
2019506997.tif 000043
2019506997.tif 000044
2019506997.tif 000045
2019506997.tif 000046